(57)【特許請求の範囲】
【請求項１】
複数設けられたワンタッチキーと、当該ワンタッチキーの押下を検出する検出手段と、当該ワンタッチキーに対応して相手先名称、相手先ファクシミリ番号および相手先電話番号の少なくとも１つを含むワンタッチ情報を記憶するワンタッチ情報記憶手段と、前記検出手段が前記ワンタッチキーの押下を検出すると、当該押下されたワンタッチキーに対応して前記ワンタッチ情報記憶手段に登録されているワンタッチ情報に基づいて発信、あるいは、発信準備を行う制御手段と、を備えたファクシミリ装置において、
前記ワンタッチ情報記憶手段は、前記複数のワンタッチキーのうち相隣り合う２個の前記ワンタッチキーを組として当該組のワンタッチキーに対応させて前記ワンタッチ情報を記憶し、
前記ワンタッチキーのそれぞれに近い位置に、当該ワンタッチキーに対して前記ワンタッチ情報記憶手段に記憶されている前記ワンタッチ情報を表示する表示手段を備えるとともに、前記相隣り合う２個のワンタッチキーの間、あるいは、前記相隣り合う２個のワンタッチキーの中間の上下いずれかの位置に、当該相隣り合う２個のワンタッチキーの組に対して前記ワンタッチ情報記憶手段に記憶されている前記ワンタッチ情報を表示する表示手段を備え、
前記制御手段は、前記検出手段がワンタッチキーの１個が押下されたことを検出すると当該１個のワンタッチキーに対応して前記ワンタッチ情報記憶手段に登録されている前記ワンタッチ情報に基づいて発信、あるいは、発信準備を行い、前記検出手段が前記相隣り合う２個のワンタッチキーが約同時に押下されたことを検出すると、当該組としての２個のワンタッチキーに対応して前記ワンタッチ情報記憶手段に登録されている前記ワンタッチ情報に基づいて発信、あるいは、発信準備を行う、
ことを特徴とするファクシミリ装置。
【請求項２】
前記ワンタッチ情報記憶手段は、前記各ワンタッチキー及び前記相隣り合う２個のワンタッチキーの組に対応して複数の相手先の前記ワンタッチ情報を記憶することを特徴とする請求項１記載のファクシミリ装置。
【請求項３】
前記制御手段は、前記表示手段に相手先名称を表示する、請求項１又は請求項２記載のファクシミリ装置。
【発明の詳細な説明】
【０００１】
【発明の属する技術分野】
本発明は、ファクシミリ装置に関し、詳細には、ワンタッチダイヤル機能を備えたファクシミリ装置に関する。
【０００２】
【従来の技術】
近時、ワンタッチダイヤル機能を備えたファクシミリ装置が普及している。このワンタッチダイヤル機能を備えたファクシミリ装置においては、時刻指定送信等の各種送信条件の指定及び複数の相手先のファクシミリ番号や電話番号等のワンタッチ情報を操作部に複数設けられたワンタッチキーに割り付けてファクシミリ装置のメモリに登録することができ、このワンタッチ情報は、ファクシミリ装置の操作部から相手先のファクシミリ番号、名称、端末識別番号あるいは電話番号及びワンタッチナンバー（ワンタッチキーの番号や記号）等をキー入力して、ファクシミリ装置のメモリに登録させている。また、ワンタッチキーに割り付けて登録したワンタッチ情報の内容やその送信条件等は、操作部における所定のキー操作によって変更することができる。このワンタッチダイヤル機能を利用することにより、例えば、頻繁に送信する宛先の送信操作手順を簡略化して、ファクシミリ装置の操作性を向上させることができる。そして、従来のファクシミリ装置においては、それぞれ１つのワンタッチキーに対して１つの相手先のワンタッチ情報のみが割り当てられて、登録されている。
【０００３】
【発明が解決しようとする課題】
しかしながら、このような従来のファクシミリ装置にあっては、１つのワンタッチキーに１つの相手先のワンタッチ情報のみが割り当てられていたため、より多くの相手先のワンタッチ情報を登録しようとすると、ワンタッチキーの数を増やすしかなく、ワンタッチキーの数を増やすと、操作部が大型化し、ひいては、ファクシミリ装置が大型化するという問題があった。
【０００４】
そこで、請求項１記載の発明は、ワンタッチキーの数を増やすことなく、ワンタッチ情報の登録できる相手先の数を増やし、小型で、より多くの相手先に対してワンタッチ機能を利用した発信や発信準備を行うことのできるファクシミリ装置を提供することを目的としている。また、各ワンタッチキーならびに２個のワンタッチキーの各組に対して登録されている相手先を確認できるようにして、利用性の良好なファクシミリ装置を提供することを目的としている。
【０００５】
請求項２記載の発明は、各ワンタッチキー及び相隣り合う２個のワンタッチキーの各組に対応して複数の相手先のワンタッチ情報を登録することにより、ワンタッチキーの数を増やすことなく、より一層多くの相手先のワンタッチ情報を登録して、小型で、より一層多くの相手先に対してワンタッチ機能を利用した発信や発信準備を行うことのできるファクシミリ装置を提供することを目的としている。
【０００６】
請求項３記載の発明は、各ワンタッチキー及び相隣り合う２個のワンタッチキーの各組に対応した相手先の確認が良好なファクシミリ装置を提供することを目的としている。
【０００７】
【課題を解決するための手段】
請求項１記載の発明のファクシミリ装置は、複数設けられたワンタッチキーと、当該ワンタッチキーの押下を検出する検出手段と、当該ワンタッチキーに対応して相手先名称、相手先ファクシミリ番号および相手先電話番号の少なくとも１つを含むワンタッチ情報を記憶するワンタッチ情報記憶手段と、前記検出手段が前記ワンタッチキーの押下を検出すると、当該押下されたワンタッチキーに対応して前記ワンタッチ情報記憶手段に登録されているワンタッチ情報に基づいて発信、あるいは、発信準備を行う制御手段と、を備えたファクシミリ装置において、
前記ワンタッチ情報記憶手段は、前記複数のワンタッチキーのうち相隣り合う２個の前記ワンタッチキーを組として当該組のワンタッチキーに対応させて前記ワンタッチ情報を記憶し、前記ワンタッチキーのそれぞれに近い位置に、当該ワンタッチキーに対して前記ワンタッチ情報記憶手段に記憶されている前記ワンタッチ情報を表示する表示手段を備えるとともに、前記相隣り合う２個のワンタッチキーの間、あるいは、前記相隣り合う２個のワンタッチキーの中間の上下いずれかの位置に、当該相隣り合う２個のワンタッチキーの組に対して前記ワンタッチ情報記憶手段に記憶されている前記ワンタッチ情報を表示する表示手段を備え、前記制御手段は、前記検出手段がワンタッチキーの１個が押下されたことを検出すると当該１個のワンタッチキーに対応して前記ワンタッチ情報記憶手段に登録されている前記ワンタッチ情報に基づいて発信、あるいは、発信準備を行い、前記検出手段が前記相隣り合う２個のワンタッチキーが約同時に押下されたことを検出すると、当該組としての２個のワンタッチキーに対応して前記ワンタッチ情報記憶手段に登録されている前記ワンタッチ情報に基づいて発信、あるいは、発信準備を行うことにより、上記目的を達成している。
【０００８】
上記構成によれば、複数のワンタッチキーのうち相隣り合う２個のワンタッチキーを組として当該組のワンタッチキーに対応させてワンタッチ情報を記憶し、相隣り合う２個のワンタッチキーが約同時に押下されると、当該組としての２個のワンタッチキーに対応して登録されているワンタッチ情報に基づいて発信、あるいは、発信準備を行うので、ワンタッチキーの数を増やすことなく、ワンタッチ情報の登録できる相手先の数を増やすことができ、ファクシミリ装置を小型で、かつ、より多くの相手先に対してワンタッチ機能を利用した発信や発信準備を行うことのできるものとすることができる。
【０００９】
また、前記ワンタッチ情報を表示する表示手段が設けられていているので、１個のワンタッチキーならびに２個のワンタッチキーの組に対して登録されている相手先を確認することができ、ファクシミリ装置のワンタッチダイヤル機能の利用性を向上させることができる。
【００１０】
また、例えば、請求項２に記載するように、前記ワンタッチ情報記憶手段は、前記各ワンタッチキー及び前記相隣り合う２個のワンタッチキーの組に対応して複数の相手先の前記ワンタッチ情報を記憶してもよい。
【００１１】
これによれば、各ワンタッチキー及び相隣り合う２個のワンタッチキーの組に対応して複数の相手先のワンタッチ情報を登録しているので、ワンタッチキーの数を増やすことなく、より一層多くの相手先のワンタッチ情報を登録することができ、ファクシミリ装置を小型で、かつ、より一層多くの相手先に対してワンタッチ機能を利用した発信や発信準備を行うことのできるものとすることができる。
【００１２】
また、例えば、請求項３に記載するように、表示手段には相手先名称を表示してもよい。これによれば、各ワンタッチキー及び相隣り合う２個のワンタッチキーの各組に対応した相手先の確認が良好である。
【００１３】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１４】
図１〜図４は、本発明のファクシミリ装置の一実施の形態を示す図であり、図１は、本発明のファクシミリ装置の一実施の形態を適用したファクシミリ装置１のブロック図である。
【００１５】
図１において、ファクシミリ装置１は、スキャナ２、プロッタ３、ＤＣＲ（符号化・復号化部）４、オペポート５、スイッチ検出部（ＳＷ検出部）６、ＣＰＵ（Central Processing Unit ）７、ＲＯＭ（Read Only Memory）８、ＲＡＭ（Random Access Memory）９、画像メモリ１０、モデム１１及びＮＣＵ１２等を備えており、各部は、バス１３により接続されている。
【００１６】
スキャナ２は、例えば、ＣＣＤ（Charge Coupled Device ）を利用したラインイメージスキャナ等が用いられており、スキャナ２は、原稿の画像を所定の解像度で読み取って画像データとして出力する。
【００１７】
プロッタ３は、例えば、サーマル素子を利用したサーマル記録装置あるいは電子写真式記録装置等が用いられており、プロッタ３は、スキャナ２で読み取った画像データや受信画像データに基づいて記録紙に画像を記録出力するとともに、その他の必要な情報、例えば、通信レポート等を記録紙に記録出力する。
【００１８】
ＤＣＲ（符号化・復号化部）４は、画像データの画像メモリ１０への蓄積の効率化や伝送時間の短縮化を図るためのものであり、所定の符号化方式に従って画像データを符号化し、また、符号化された画像データを復号化する。
【００１９】
オペポート５は、テンキーやスタートキー及びワンタッチキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。特に、オペポート５は、例えば、図２に示すように、複数のワンタッチキーＡ〜Ｅ、Ｆ〜Ｊが横方向に並んで配設されているとともに、縦方向に２列配設されており、各ワンタッチキーＡ〜Ｅ、Ｆ〜Ｊの真上には、当該ワンタッチキーＡ〜Ｅ、Ｆ〜Ｊ単独で登録されているワンタッチ情報の相手先名、例えば、個人名、会社名、部署名等を表示するための表示部ａ〜ｅ、ｆ〜ｊが設けられているとともに、各表示部ａ〜ｅ、ｆ〜ｊの間には、横方向で相隣り合う２個のワンタッチキーＡ〜Ｅ、Ｆ〜Ｊを同時に押下した場合のワンタッチ情報の相手先名を表示するための表示部ａｂ、ｂｃ、ｃｄ、ｄｅ及び表示部ｆｇ、ｇｈ、ｈｉ、ｉｊがそれぞれワンタッチキーＡ〜Ｅ、Ｆ〜Ｊの間の上側に設けられている。これら表示部ａ〜ｅ、ｆ〜ｊ、表示部ａｂ、ｂｃ、ｃｄ、ｄｅ及び表示部ｆｇ、ｇｈ、ｈｉ、ｉｊは、液晶ディスプレイ等が用いられている。
【００２０】
上記ワンタッチキーＡ〜Ｅ、Ｆ〜Ｊは、後述するように、単独でワンタッチキーとして使用されるとともに、横方向に相隣り合う２個のワンタッチキーＡ〜Ｅ、Ｆ〜Ｊを同時に押下することによってもワンタッチキーとして使用される。すなわち、ワンタッチキーＡ〜Ｅ、Ｆ〜Ｊを単独で押下することにより、ワンタッチ情報の登録操作時やワンタッチキーＡ〜Ｅ、Ｆ〜Ｊを使用した発信処理あるいは発信準備処理を行うことができ、また、横方向に相隣り合う２個のワンタッチキーＡ〜Ｅ、Ｆ〜Ｊを同時に押下することにより、ワンタッチ情報の登録操作時や横方向に相隣り合う２個のワンタッチキーＡ〜Ｅ、Ｆ〜Ｊを使用した発信処理あるいは発信準備処理を行うことができる。ここで、ワンタッチ情報とは、ワンタッチダイヤル機能を利用するのに必要な各種情報であり、相手先の名称、ファクシミリ電話番号、端末識別番号及び電話番号等の情報及び時刻指定送信等の各種送信条件等である。また、ワンタッチダイヤル機能とは、ワンタッチキーＡ〜Ｅ、Ｆ〜Ｊが単独で押下されることにより、あるいは、横方向に相隣り合う２個のワンタッチキーＡ〜Ｅ、Ｆ〜Ｊが同時に押下されることにより、当該ワンタッチキーＡ〜Ｅ、Ｆ〜Ｊや２個のワンタッチキーＡ〜Ｅ、Ｆ〜Ｊに対応して登録されているワンタッチ情報に対応する処理を行わせることのできる機能であり、例えば、ＣＰＵ７は、ワンタッチキーＡ〜Ｅ、Ｆ〜Ｊが単独で、あるいは、横方向に相隣り合う２個のワンタッチキーＡ〜Ｅ、Ｆ〜Ｊが同時に、押下されると、当該押下された１つのワンタッチキーＡ〜Ｅ、Ｆ〜Ｊあるいは２個のワンタッチキーＡ〜Ｅ、Ｆ〜Ｊに対応して登録されている相手先に自動ダイヤルして、ワンタッチ情報の送信条件等に応じて画像データを送信し、あるいは、当該発信準備を行う。なお、上記ワンタッチ情報は、ＣＰＵ７の制御下でＲＡＭ９に記憶され、必要に応じて読み出される。
【００２１】
ＳＷ検出部（検出手段）６は、オペポート５のスイッチ操作、特に、ワンタッチキーＡ〜Ｅ、Ｆ〜Ｊのスイッチ操作を走査し、当該スイッチ操作の検出結果をＣＰＵ７に出力する。なお、オペポート５のスイッチ操作の検出は、ＳＷ検出部６が行うものに限るものではなく、例えば、ＣＰＵ７が直接オペポート５のスイッチ操作を走査して、当該スイッチ操作を検出するようにしてもよい。
【００２２】
ＲＯＭ８は、ファクシミリ装置１の基本処理プログラムやワンタッチ処理プログラム等の各種プログラムを格納しているとともに、これらの基本処理プログラムやワンタッチ処理プログラム等を実行するのに必要な各種データやシステムデータ等を格納している。
【００２３】
ＣＰＵ（制御手段）７は、ＲＯＭ８内のプログラムに基づいてＲＡＭ９をワークメモリとして使用しつつ、ファクシミリ装置１の各部を制御し、ファクシミリ装置１としての基本処理を実行するとともに、後述するワンタッチ処理を実行する。
【００２４】
ＲＡＭ（ワンタッチ情報記憶手段）９は、ＣＰＵ７のワークメモリとして利用されるとともに、ワンタッチ情報記憶領域を有しており、ワンタッチ情報記憶領域には、ワンタッチキーＡ〜Ｅ、Ｆ〜Ｊの１つ、あるいは、横方向に相隣り合う２個のワンタッチキーＡ〜Ｅ、Ｆ〜Ｊに対応させて、端末識別番号、相手先名称、ファクシミリ番号、電話番号等の情報及び時刻指定送信等の各種送信条件等のワンタッチ情報が記憶される。なお、端末識別番号とは、ファクシミリ装置の１台１台に当該ファクシミリ装置を特定するために予め与えられた識別番号であり、ファクシミリ番号とは、自動ダイヤルする相手先のファクシミリ装置に与えられている電話番号で、電話番号とは、当該相手先の電話装置の電話番号である。ＲＡＭ９は、電池バックアップされており、ファクシミリ装置１の電源がオフにされたときにも、その記憶内容を保持する。
【００２５】
画像メモリ１０は、例えば、大容量のハードディスク装置等で構成され、送信用の画像データや受信した画像データを一時記憶する。
【００２６】
モデム１１は、ＣＰＵ７の制御下で動作して、送信信号の変調を行い、また、受信信号の復調を行う。ＮＣＵ１２は、回線Ｌ、例えば、公衆電話回線に接続されており、ＣＰＵ７の制御下で動作して、相手ファクシミリ装置との間でファクシミリ制御信号を交換して、ファクシミリ通信制御手順を実行するとともに、回線Ｌからの発呼に対して自動着呼し、また、回線Ｌへの自動発呼処理を行う。
【００２７】
次に、本実施の形態の動作を説明する。ファクシミリ装置１は、複数のワンタッチキーＡ〜Ｅ、Ｆ〜Ｊを備え、これら複数のワンタッチキーＡ〜Ｅ、Ｆ〜Ｊを単独で使用することができるとともに、相隣り合う２個のワンタッチキーＡ〜Ｅ、Ｆ〜Ｊを同時に押下することによっても使用することができるところにその特徴がある。
【００２８】
すなわち、ファクシミリ装置１は、オペポート５のキー操作によりワンタッチ情報登録モードに設定され、ワンタッチキーＡ〜Ｅ、Ｆ〜Ｊの１つ、あるいは、相隣り合う２個のワンタッチキーＡ〜Ｅ、Ｆ〜Ｊが同時に、押下されると、ＣＰＵ７の制御下で、当該ワンタッチキーＡ〜Ｅ、Ｆ〜Ｊに対応して、その後、オペポート５から入力されるワンタッチ情報を当該ワンタッチキーＡ〜Ｅ、Ｆ〜Ｊに対応させてＲＡＭ９のワンタッチ情報記憶領域に登録する。
【００２９】
このように、ワンタッチ情報がＲＡＭ９に登録されると、このワンタッチ情報を利用したワンタッチ発信機能を利用することができる。
【００３０】
すなわち、ＣＰＵ７は、図３に示すように、ＳＷ検出部６にオペポート５のキー操作を監視させ、ワンタッチキーＡ〜Ｅ、Ｆ〜Ｊが押下されたかチェックする（ステップＳ１）。ステップＳ１で、ワンタッチキーＡ〜Ｅ、Ｆ〜Ｊが押下されないときには、ＣＰＵ７は、所定間隔毎に、ステップＳ１に戻って、ワンタッチキーＡ〜Ｅ、Ｆ〜Ｊが押下されたかチェックする。
【００３１】
ステップＳ１で、ワンタッチキーＡ〜Ｅ、Ｆ〜Ｊが押下されると、ＣＰＵ７は、２個以上のワンタッチキーＡ〜Ｅ、Ｆ〜Ｊが同時に押下されたかどうかチェックし（ステップＳ２）、１つのワンタッチキーＡ〜Ｅ、Ｆ〜Ｊのみが押下されたときには、当該押下された１つのワンタッチキーＡ〜Ｅ、Ｆ〜Ｊに対応してＲＡＭ９のワンタッチ情報記憶領域に記憶されているワンタッチ情報を選択する（ステップＳ３）。ＣＰＵ７は、当該選択したワンタッチ情報をＲＡＭ９から読み出し、当該読み出したワンタッチ情報のうち相手先名称を図２に示す当該押下されたワンタッチキーＡ〜Ｅ、Ｆ〜Ｊの真上の表示部ａ〜ｅ、ｆ〜ｊに表示出力するとともに、当該ワンタッチ情報のファクシミリ番号あるいは電話番号をＮＣＵ１２にわたし、発呼させて発信したり、発信の準備を行う。
【００３２】
ステップＳ２で、２個以上のワンタッチキーＡ〜Ｅ、Ｆ〜Ｊが押下されたときには、ＣＰＵ７は、相隣り合うワンタッチキーＡ〜Ｅ、Ｆ〜Ｊ同士が押下されたかチェックし（ステップＳ４）、相隣り合うワンタッチキーＡ〜Ｅ、Ｆ〜Ｊ同士でないときには、操作ミスであると判断して、ステップＳ１に戻って、上記同様の処理を行う。
【００３３】
ステップＳ４で、相隣り合うワンタッチキーＡ〜Ｅ、Ｆ〜Ｊ同士が押下されたときには、ＣＰＵ７は、相隣り合う２個のワンタッチキーＡ〜Ｅ、Ｆ〜Ｊの組み合わせに対してＲＡＭ９に複数登録されているワンタッチ情報のうち、当該押下された２個のワンタッチキーＡ〜Ｅ、Ｆ〜Ｊの組み合わせに対して登録されているワンタッチ情報を選択する（ステップＳ５）。ＣＰＵ７は、当該選択したワンタッチ情報をＲＡＭ９から読み出し、当該読み出したワンタッチ情報のうち相手先名称を図２に示す当該押下された２個のワンタッチキーＡ〜Ｅ、Ｆ〜Ｊの間の上側の表示部ａｂ、ｂｃ、ｃｄ、ｄｅあるいは表示部ｆｇ、ｇｈ、ｈｉ、ｉｊに表示出力するとともに、当該ワンタッチ情報のファクシミリ番号あるいは電話番号をＮＣＵ１２にわたし、発呼させて発信したり、発信の準備を行う。
【００３４】
このように、本実施の形態によれば、複数のワンタッチキーＡ〜Ｅ、Ｆ〜Ｊのうち相隣り合う２個のワンタッチキーＡ〜Ｅ、Ｆ〜Ｊを組として当該組のワンタッチキーＡ〜Ｅ、Ｆ〜Ｊに対応させてワンタッチ情報をＲＡＭ９のワンタッチ情報記憶領域に記憶し、相隣り合う２個のワンタッチキーＡ〜Ｅ、Ｆ〜Ｊが約同時に押下されると、当該組としての２個のワンタッチキーＡ〜Ｅ、Ｆ〜Ｊに対応して登録されているワンタッチ情報に基づいて発信、あるいは、発信準備を行うので、ワンタッチキーＡ〜Ｅ、Ｆ〜Ｊの数を増やすことなく、ワンタッチ情報の登録できる相手先の数を増やすことができ、ファクシミリ装置１を小型で、かつ、より多くの相手先に対してワンタッチ機能を利用した発信や発信準備を行うことのできるものとすることができる。
【００３５】
また、相隣り合う２個のワンタッチキーＡ〜Ｅ、Ｆ〜Ｊの間、あるいは、相隣り合う２個のワンタッチキーＡ〜Ｅ、Ｆ〜Ｊの中間の上下いずれかの位置に当該相隣り合う２個のワンタッチキーＡ〜Ｅ、Ｆ〜Ｊの組に対して登録されているワンタッチ情報を表示する表示部ａｂ、ｂｃ、ｃｄ、ｄｅ、表示部ｆｇ、ｇｈ、ｈｉ、ｉｊをオペポート５に設けているので、２個のワンタッチキーＡ〜Ｅ、Ｆ〜Ｊの組に対して登録されている相手先を確認することができ、ファクシミリ装置１のワンタッチダイヤル機能の利用性を向上させることができる。
【００３６】
なお、上記実施の形態においては、横方向で相隣り合う２個のワンタッチキーＡ〜Ｅ、Ｆ〜Ｊに対してワンタッチ情報を登録して、当該ワンタッチ情報をワンタッチキーＡ〜Ｅ、Ｆ〜Ｊの間の上側に設けた表示部ａｂ、ｂｃ、ｃｄ、ｄｅ及び表示部ｆｇ、ｇｈ、ｈｉ、ｉｊに表示するようにしているが、隣接する２個のワンタッチキーＡ〜Ｅ、Ｆ〜Ｊとしては、横方向で相隣り合う場合に限るものではなく、例えば、図４に示すように、オペポート２０として横方向に複数並ぶとともに、上下に２段のワンタッチキーＡ〜Ｅ、Ｆ〜Ｊを備えている場合、上下方向で相隣り合う２個のワンタッチキーＡ〜Ｅ、Ｆ〜Ｊを組として当該組のワンタッチキーＡ〜Ｅ、Ｆ〜Ｊに１つのワンタッチ情報を割り当てるようにしてもよい。この場合、オペポート２０には、図４に示すように、各ワンタッチキーＡ〜Ｅ、Ｆ〜Ｊの真上と真下に当該単独のワンタッチキーＡ〜Ｅ、Ｆ〜Ｊに対応して登録されているワンタッチ情報を表示する表示部ａ〜ｅ、ｆ〜ｊが設けられているとともに、２段に設けられたワンタッチキーＡ〜Ｅ、Ｆ〜Ｊの間に当該上下方向で相隣り合う２個のワンタッチキーＡ〜Ｅ、Ｆ〜Ｊに対応して登録されているワンタッチ情報を表示する表示部ａｆ、ｂｇ、ｃｈ、ｅｊが設けられている。
【００３７】
また、隣接する２個のワンタッチキーの組み合わせとしては、上記横方向あるいは縦方向だけに限るものではなく、斜め方向であってもよい。
【００３８】
さらに、上記実施の形態においては、２個のワンタッチキーＡ〜Ｅ、Ｆ〜Ｊを組として１つの相手先のワンタッチ情報を登録しているが、組とするワンタッチキーＡ〜Ｅ、Ｆ〜Ｊの数は、２個に限るものではなく、相隣り合う２個以上のワンタッチキーＡ〜Ｅ、Ｆ〜Ｊを組として１つのワンタッチ情報を登録するようにしてもよい。
【００３９】
また、上記実施の形態においては、２個のワンタッチキーＡ〜Ｅ、Ｆ〜Ｊを組として１つの相手先のワンタッチ情報を登録しているが、登録するワンタッチ情報としては、１つの相手先のワンタッチ情報に限るものではなく、１つ以上の相手先のワンタッチ情報、すなわち、複数の相手先のファクシミリ番号、電話番号、相手先名称等を登録するようにしてもよい。この場合、当該複数のワンタッチ情報から目的とする相手先を選択することになるが、この場合、例えば、当該ワンタッチキーＡ〜Ｅ、Ｆ〜Ｊを押す回数によって選択するようにしてもよい。
【００４０】
このようにすると、ワンタッチキーＡ〜Ｅ、Ｆ〜Ｊの数を増やすことなく、より一層多くの相手先のワンタッチ情報を登録することができ、ファクシミリ装置１を小型で、かつ、より一層多くの相手先に対してワンタッチ機能を利用した発信や発信準備を行うことのできるものとすることができる。
【００４１】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００４２】
【発明の効果】
複数のワンタッチキーのうち相隣り合う２個のワンタッチキーを組として当該組のワンタッチキーに対応させてワンタッチ情報を記憶し、相隣り合う２個のワンタッチキーが約同時に押下されると、当該組としての２個のワンタッチキーに対応して登録されているワンタッチ情報に基づいて発信、あるいは、発信準備を行うので、ワンタッチキーの数を増やすことなく、ワンタッチ情報の登録できる相手先の数を増やすことができ、ファクシミリ装置を小型で、かつ、より多くの相手先に対してワンタッチ機能を利用した発信や発信準備を行うことのできるものとすることができる。また、ワンタッチ情報を表示する表示手段を備えているので、２個のワンタッチキーの組に対して登録されている相手先を確認することができ、ファクシミリ装置のワンタッチダイヤル機能の利用性を向上させることができる。
【図面の簡単な説明】
【図１】  本発明のファクシミリ装置の一実施の形態を適用したファクシミリ装置のブロック図。
【図２】  図１のファクシミリ装置のオペポートのワンタッチキー及び表示部の一例の拡大上面図。
【図３】  図１のファクシミリ装置によるワンタッチ処理を示すフローチャート。
【図４】  図１のファクシミリ装置のオペポートのワンタッチキー及び表示部の他の例の拡大上面図。
【符号の説明】
１ ファクシミリ装置
２ スキャナ
３ プロッタ
４ ＤＣＲ
５ オペポート
６ スイッチ検出部（ＳＷ検出部）
７ ＣＰＵ
８ ＲＯＭ
９ ＲＡＭ
１０ 画像メモリ
１１ モデム
１２ ＮＣＵ
１３ バス
２０ オペポート
Ａ〜Ｅ、Ｆ〜Ｊ ワンタッチキー
ａ〜ｅ、ｆ〜ｊ 表示部
ａｂ、ｂｃ、ｃｄ、ｄｅ、ｆｇ、ｇｈ、ｈｉ、ｉｊ 表示部
ａｆ、ｂｇ、ｃｈ、ｄｉ、ｅｊ 表示部
【図１】
0003669659.tif 000002
【図２】
0003669659.tif 000003
【図３】
0003669659.tif 000004
【図４】
0003669659.tif 000005